(57)【要約】【課題】伝送線によるデータ伝送を行わずとも正確な時刻に対応した計測値を取得可能とする。【解決手段】計時部４は、電波送信所から送信される標準信号（標準電波）を利用して時刻を修正する電波時計用のリアルタイム・クロックＬＳＩからなり、適宜修正された時刻データを演算部３に出力する。演算部３は計測値データと計時部４で計時する時刻データとを紐付けてＩ／Ｆ部５を介して外部記憶装置６に記憶する。故に、従来例のように全ての電力計測装置を伝送線で接続して時刻データの同期を取らなくても、正確な時刻と紐付けられた計測値データを全ての電力計測装置で取得することができて正しい比較結果を得ることができる。【選択図】        図１
2011047700.tif 000002
【特許請求の範囲】
【請求項１】
分電盤に設置されて当該分電盤を通じて供給される電力又は電力量を計測する電力計測装置であって、
供給される電圧を測定する電圧測定手段と、供給される電流を測定する電流測定手段と、電圧測定手段で測定される電圧測定値と電流測定手段で測定される電流測定値とを用いて瞬時電力や積算電力量などを演算する演算手段と、時刻を計時するとともに標準電波を受信して時刻の誤差を修正する計時手段と、演算手段が演算した瞬時電力や積算電力量などの計測値を計時手段で計時する時刻と紐付けて可搬型の外部記憶装置に記憶する記憶手段とを備えたことを特徴とする電力計測装置。
【発明の詳細な説明】
【技術分野】
【０００１】
本発明は、分電盤に設置されて当該分電盤を通じて供給される電力又は電力量を計測する電力計測装置に関するものである。
【背景技術】
【０００２】
従来、分電盤に設置されて当該分電盤を通じて供給される電力又は電力量を計測する電力計測装置が提供されている（例えば、特許文献１参照）。また、工場や大型店舗のように複数台の分電盤が設置される場合においては、各分電盤毎に電力計測装置が設置され、それぞれの電力計測装置で計測される電力又は電力量を比較することが行われていた。ここで、各分電盤毎の電力や電力量の計測値を比較する際、同じ時刻あるいは同じ時間帯（例えば、午前９時〜午後１２時の時間帯）の計測値同士を比較する必要があるため、それぞれの電力計測装置が時計を搭載し、計測値と計測した時刻を紐付けた計測データを内蔵メモリに保存していた。尚、個々の電力計測装置が搭載する時計の時刻を同期させるため、従来は全ての電力計測装置を伝送線で接続し、この伝送線を通してデータ伝送を行うことによって時刻を同期させたり、各電力計測装置で計測される計測値を収集していた。
【先行技術文献】
【特許文献】
【０００３】
【特許文献１】特許第２８８８８６５号公報
【発明の概要】
【発明が解決しようとする課題】
【０００４】
しかしながら、上記従来例のように時刻同期のために全ての電力計測装置を伝送線で接続することは、伝送線の配線作業並びに保守管理に多大な手間とコストがかかるという問題があった。
【０００５】
本発明は上記事情に鑑みて為されたものであり、その目的は、伝送線によるデータ伝送を行わずとも正確な時刻に対応した計測値を取得することができる電力計測装置を提供することにある。
【課題を解決するための手段】
【０００６】
本発明は、上記目的を達成するために、分電盤に設置されて当該分電盤を通じて供給される電力又は電力量を計測する電力計測装置であって、供給される電圧を測定する電圧測定手段と、供給される電流を測定する電流測定手段と、電圧測定手段で測定される電圧測定値と電流測定手段で測定される電流測定値とを用いて瞬時電力や積算電力量などを演算する演算手段と、時刻を計時するとともに標準電波を受信して時刻の誤差を修正する計時手段と、演算手段が演算した瞬時電力や積算電力量などの計測値を計時手段で計時する時刻と紐付けて可搬型の外部記憶装置に記憶する記憶手段とを備えたことを特徴とする。
【発明の効果】
【０００７】
本発明によれば、伝送線によるデータ伝送を行わずとも正確な時刻に対応した計測値を取得することができる。
【図面の簡単な説明】
【０００８】
【図１】本発明の実施形態を示すブロック図である。
【発明を実施するための形態】
【０００９】
本実施形態の電力計測装置は、分電盤に設置されて当該分電盤を通じて供給される電力又は電力量を計測するものであって、図１に示すように供給される電圧を測定する電圧測定部１と、供給される電流を測定する電流測定部２と、電圧測定部１で測定される電圧測定値と電流測定部２で測定される電流測定値とを用いて瞬時電力や積算電力量などを演算する演算部３と、時刻を計時するとともに標準電波を受信して時刻の誤差を修正する計時部４と、ＵＳＢメモリやメモリカードなどの可搬型の外部記憶装置６と、外部記憶装置６が着脱自在に接続されて演算部３と外部記憶装置６とをインタフェースするインタフェース（Ｉ／Ｆ）部５とを備えている。
【００１０】
電圧測定部１は、分電盤に設置されている主幹開閉器（主幹ブレーカ）の入力側（１次側）の電圧を測定し、その測定値（電圧測定値）をディジタル信号（電圧測定値データ）に変換して演算部３に出力する。
【００１１】
電流測定部２は、主幹開閉器の出力側（２次側）若しくは分電盤に設置されている複数の分岐開閉器（分岐ブレーカ）の入力側（１次側）又は出力側（２次側）に設けられた電流センサ（図示せず）で主幹開閉器に流れる電流若しくは各分岐回路毎の電流を測定し、その測定値（電流測定値）をディジタル信号（電流測定値データ）に変換して演算部３に出力する。
【００１２】
演算部３はマイクロコンピュータからなり、プログラムを実行することで電圧測定値データと電流測定値データとを用いて瞬時電力や電力量（積算電力量）などを演算する。
【００１３】
計時部４は、電波送信所から送信される標準信号（標準電波）を受信し、タイムコードをディジタル信号（ＴＣＯ信号）で出力する電波受信部（図示せず）と、ＴＣＯ信号を読み込み、時刻データフォーマットに基づいて時刻情報を取り出し、当該時刻情報の正当性を検証して受信時刻を確定するデコーダ部（図示せず）と、デコーダ部で確定した時刻データを時計に反映して計時を継続する時計部（図示せず）とが１チップに集積化された電波時計用のリアルタイム・クロックＬＳＩからなり、時計部で計時する時刻データ（年月日並びに時分秒）を演算部３に出力する。
【００１４】
Ｉ／Ｆ部５は、外部記憶装置６が内蔵する記憶素子（フラッシュメモリなどの電気的に書換可能な不揮発性半導体メモリ）と演算部３を構成するマイクロコンピュータとをインタフェースして演算部３から記憶素子へのデータ（瞬時電力や積算電力量などの計測値データ）の書き込み並びに記憶素子から演算部３へのデータの読み出しを可能としている。そして、演算部３は計測値データと計時部４で計時する時刻データ（当該計測値データの計測時刻あるいは計測時間帯）とを紐付けてＩ／Ｆ部５を介して外部記憶装置６に記憶する。すなわち、本実施形態ではＩ／Ｆ部５と外部記憶装置６とで記憶手段を構成している。
【００１５】
所定期間（例えば、毎時０分から１時間）毎の積算電力量を計測する場合、演算部３では所定のサンプリング周期でサンプリングされる電圧測定値データ並びに電流測定値データから瞬時電力を演算するとともに当該瞬時電力を積算することで積算電力量を演算し、その積算電力量を所定期間に対応する時刻データ（例えば、午前１０時〜午前１１時までの１時間）と紐付けて外部記憶装置６に記憶する。そして、Ｉ／Ｆ部５から取り外した外部記憶装置６を別途用意されたコンピュータ装置などに接続し、外部記憶装置６に記憶されている計測値データを当該コンピュータ装置で読み出せば、別の分電盤に設置されている他の電力計測装置で計測された計測値データと容易に比較することができる。このとき、個々の電力計測装置では標準電波を利用して計時部４の時刻データが修正されているため、従来例のように全ての電力計測装置を伝送線で接続して時刻データの同期を取らなくても、正確な時刻と紐付けられた計測値データを全ての電力計測装置で取得することができて正しい比較結果を得ることができる。
【符号の説明】
【００１６】
１  電圧測定部（電圧測定手段）
２  電流測定部（電流測定手段）
３  演算部（演算手段）
４  計時部（計時手段）
５  インタフェース（Ｉ／Ｆ）部（記憶手段）
６  外部記憶装置（記憶手段）
【図１】
2011047700.tif 000003